(57)【要約】【課題】従来の電子媒体収納器具は、一般に上方が開放された矩形の箱からなり、箱内に多数の電子媒体を収納すると、隣接する電子媒体間に間隙が殆どないため、個別の電子媒体のタイトルを読取り難い上に、所望の電子媒体を取出し難く、更に、室内装飾物としてもディスプレーとしても在り来りの形状でしかなかった。本発明の電子媒体収納器具は、個別の電子媒体のタイトルが見易く且つ取り出し易く、更に、夢のある楽しいディスプレーや装飾物としての電子媒体収納器具を提供することを目的としている。【解決手段】本発明の電子媒体収納器具は、ベース１上に並立された支柱２の上端部に回転自在に取付けられた回転体３と、該回転体３の外周部に設けられ、電子媒体或は電子媒体を収納したケーシング６を着脱自在に保持する保持部５と、を備えていることを特徴とする。【選択図】　図１
2004001781.tif 000002
【特許請求の範囲】
【請求項１】
垂直或は傾斜方向に回転自在に設けられた回転体と、
該回転体の外周部に設けられ、電子媒体或は電子媒体を収納したケーシングを着脱自在に保持する保持部と、
を備えていることを特徴とする電子媒体収納器具。
【請求項２】
前記回転体が、脚上に回転自在に取付けられていることを特徴とする請求項１記載の電子媒体収納器具。
【請求項３】
前記回転体が、円形の内周を有する環状の回転体であり、外周が円形に形成された本体の外周に回転自在に取り付けられていることを特徴とする請求項１記載の電子媒体収納器具。
【請求項４】
前記本体が、脚上に取付けられていることを特徴とする請求項３記載の電子媒体収納器具。
【請求項５】
前記保持部が、該保持部に保持された電子媒体或は電子媒体を収納したケーシングの脱落を防止する落下防止部材を有することを特徴とする請求項１乃至４のうち１項記載の電子媒体収納器具。
【請求項６】
前記落下防止部材が、電子媒体或は電子媒体を収納したケーシングを挟持する弾性体、或は、該電子媒体或は電子媒体を収納したケーシングを保持部の一部との間に挟持する弾性体であることを特徴とする請求項５記載の電子媒体収納器具。
【請求項７】
前記落下防止部材が、該保持部に保持された電子媒体或は電子媒体が収納されたケーシングの一部を係止する係止部材であることを特徴とする請求項５又は６記載の電子媒体収納器具。
【発明の詳細な説明】
【０００１】
【発明の属する技術分野】
本発明は、電子媒体収納器具に関するものである。
【０００２】
【従来の技術】
従来、多数の電子媒体を収納できる電子媒体収納器具（１）は、一般に上方が開放された矩形の箱からできており、収納される複数の電子媒体は、並立されるものが常で、電子媒体間には殆ど間隙がないため電子媒体のタイトル探しや所望の電子媒体を取出すことに苦労していた。
【０００３】
こうした不便さを解消するものとして実開平４−１２４９８６号のフレキシブルデスク（以下ＦＤと省記）等の収納装置（２）があった。このＦＤ等の収納装置は、複数のＦＤを確実且つ整然と収納し、複数のＦＤのラベルの記入事項を一度に視認でき、目的のＦＤを容易且つ迅速に探すためのものであり、以下のようなものである。上部が開放されたケース本体を前後方向に所定間隔で仕切り、ＦＤの横断面より僅かに大きいディスク挿通支持空間を、底板上方位置に複数配し、ディスク挿通支持空間の周縁部分を支点としてＦＤが前後方向に揺動するように形成すると共に、ＦＤ下端部が後方のＦＤ下端部分を後方に向って押圧するＦＤ等の収納装置であった。
【０００４】
更に、室内に置くだけで夢のある楽しいディスプレー或は装飾物となる電子媒体収納器具として、実用新案登録第２５１７２２９号の電子媒体収納ケース（３）があった。このコンパクトデイスク（以下ＣＤと省記）収納ケースは、引出しを閉じたままで棚の前方から内部に収納されたＣＤの分類状態が分かるようにしたもので、次ぎのようなものである。引出しの前端に透視可能なＣＤ収納用ポケットを設け、分類整理した引出し内から１枚のＣＤを取出して見本として挿入するものであった。
【０００５】
【発明が解決しようとする課題】
（１）のＦＤ等の収納ケースと（３）の電子媒体収納ケースは、矩形の箱や引出し内に収納された隣接する電子媒体やＣＤの間に隙間がないため、個々のタイトルが見えづらく目的物を探し出すことに難渋する上に、取出すことに一苦労していた。しかし、（３）の電子媒体収納ケースには、デイスプレーや装飾物としての効果が備わっているが、電子媒体収納ケースの効果ではなく、電子媒体収納ケースの機能によりＣＤの特徴を引出したことによる効果であった。（２）のＦＤ等の収納装置は、こうした不便さを解消してはいるが、ケース本体が単体で形成されており、且つ、積重ねづらい構造となっており、大量のＦＤを収納できない上に、単に室内に置くだけでは、夢があって楽しいディスプレー或は装飾物としての効果を得られなかった。
【０００６】
本発明の電子媒体収納器具は、電子媒体或は電子媒体を収納するケーシングを係止する複数の係止部を外周部に有する回転体を設けることにより、観覧車や風車或は水車を連想できる夢のある楽しいディスプレーや装飾物を提供し、更に、係止した電子媒体のタイトルを見易く且つ取出し易くした電子媒体収納器具を提供することを目的としている。
【０００７】
【課題を解決するための手段】
本発明の電子媒体収納器具は、垂直或は傾斜方向に回転自在に設けられた回転体と、該回転体の外周部に設けられ、電子媒体或は電子媒体を収納したケーシングを着脱自在に保持する保持部と、を備えていることを特徴とする。この回転体を脚上に回転自在に取り付けることができる。
【０００８】
この回転体を円形の内面を有する環状の回転体とし、外周が円形の本体の外周に回転自在に取付け、この本体を脚上に取付けることもできる。又、前記保持部に、保持部に保持された電子媒体或は電子媒体を収納したケーシングの脱落を防止する脱落防止部材を設けることができる。
【０００９】
この脱落防止部材を、保持部に保持された電子媒体或は電子媒体を収納したケーシングを挟持する弾性体、或は、保持部に保持された電子媒体或は電子媒体を収納したケーシングを保持部の一部との間に挟持する弾性体として設けることができる。更に、この脱落防止部材を、保持部に保持された電子媒体或は電子媒体を収納したケーシングの一部を係止する係止部材として設けることもできる。
【００１０】
【発明の実施の形態】
以下に図面を用いて本発明の実施例を詳細に説明する。図１は本発明の電子媒体収納器具の斜視図で、図２は縦断面図である。これらの図に示すように、ベース１上に複数の脚２を並立させる。図では、この脚２を垂直方向に示しているが、斜め上方向であっても良い。この脚２の上端部に回転体３を回転自在に取付ける。回転体３の軸心には、軸４が設けられており、この軸４の両端が前記脚２の上端部に回転自在に取付けられている。尚、軸４を脚２の上端部に固着し、この軸４と回転体３が回転自在であっても良い。又、図示しないが、回転自在な回転体３を任意の位置で固定する固定部材を脚２近傍に設けることもできる。
【００１１】
回転体３の外周部には、保持部５が回転体３の軸心から放射方向に向って設けられ、この保持部５は、別途形成した電子媒体或は電子媒体を収納自在なケーシング（以下、電子媒体と略記する）６を回転体３の軸心から逆放射方向に挿入される。この保持部５には、下向きになった保持部５内の電子媒体６が脱落したり、回転体３を回転させたときに生じる遠心力により、係止部５に係止されている電子媒体６が放出されないように、脱落防止部材としての弾性体である板バネ７が取付けられている。板バネ７は、係止部５内に挿入された電子媒体６を表裏から挟んだり、係止部５の内壁面との間に挟むようになっている。
【００１２】
図３の縦断面図に示したように、前記脚２の上端部に切欠き（或は溝）２аを設け、前記軸４の両端を回転自在に取付けても良い。図４の縦断面図に示すように、間隔を広げた脚２の上端部に軸４よりも長くした軸４аの両端を取付け、軸４аに複数の回転体３を夫々回転自在に取付けることもできる。更に、図５に示すように、脚２を高い脚２ｂとし、この脚２ｂに複数の回転体３を立体的に回転自在に取付けることもできる。
【００１３】
図６に示すように、電子媒体６を係止する保持部５には、落下防止部材としての弾性体である板バネ７ａが取付けられている。この板バネ７ａは、保持部５に挿入された電子媒体６の表裏を２枚の板バネ７а，７аにより挟持したり、保持部５の内壁面８と板バネ７аの間に電子媒体６を挟持することにより保持し、保持部５内の電子媒体６の脱落落下を防止している。図では、落下防止部材としての板バネ７を弾性体である曲折された板バネ７аで示しているが、真直ぐな板バネの基部を保持部５の内壁面８に固着しても良いし、板バネ７аの代わりにゴムや合成樹脂製の弾性体としたり、他の弾性体（例えばコイルバネ）と板の組合せによるものなど図示したものに拘るものではない。又、電子媒体６の表裏を板バネ７ａで挟持した図で示しているが、電子媒体６の両側を挟持する物であっても良い。
【００１４】
図７に示すように、落下防止部材を、縦断面コ状に形成された保持部９の一側に、基部１０аの長いクランク状の板バネ１０を取付け、保持部９に一端が挿入された電子媒体６の他端の角部を係止しても良い。この落下防止部材の場合は、板バネ１０の先端１０ｂを図７の矢印方向に押圧すると、保持部９に保持されている電子媒体６を挿脱できる。
【００１５】
図８の実施例では、保持部９の一側の側壁１１を回転体３の先端にヒンジ１２で回動自在に接続し、側壁１１の先端を内側に折り曲げ或は内側に突起を形成して係止部材１１ａとしている。側壁１１の外側には、板バネ等の弾性体１３が張りつけられている。ヒンジ１２を中心に側壁１１の先端を矢印の方向に撓ませて保持部９に電子媒体６を挿入する。側壁１１に加えた力を除くと、側壁１１は図８に示す位地に復帰する。その後、係止部材１１ａにより収容した電子媒体６が落下するのを防止することができる。
【００１６】
図９に示すように、この側壁１１の基部に側壁１１の基部の横断面がコ状となるように側板１１ｂを設けることもできる。図７乃至図９の場合は、電子媒体６が保持部９内で移動自在であっても良い。
【００１７】
しかし、図１０に示すように、回動自在な側壁１１の先端１１ｃを内側に折り曲げた突起（或は板バネ）とし、保持部９に一端を挿入した電子媒体６の他端の角がカチッと嵌り込み係止され、保持されている電子媒体６が揺動しないようにすることもできる。このような構成にすれば、側壁１１をヒンジ１２を中心に回動することにより保持部９に電子媒体６を着脱自在とすることができる。
【００１８】
上記構成の電子媒体収納器具は、保持部９内に一端が挿入された電子媒体６の他端の角が、係止部材１１аに係止されているので、回転体３の回転により生じる遠心力で電子媒体６が飛び出したり、保持部９が回転体３の下方なったときに電子媒体６が落下したりすることがない。又、保持部９の側壁１１の外側に弾性体１３が回転体３の軸心に向って延設されているから、側壁１１を回転体３の軸心から放射方向の線と交叉する方向に押圧して回動させた後、圧力をなくすと、弾性体１３の復元力により側壁１１が元の位置に戻る。従って、側壁１１をヒンジ１１中心に図７から図１０の矢印方向に回動させ、保持部９の口を拡げて内に電子媒体６の一端を挿入し、回動した側壁１１から手を離すと、側壁１１は図７から図１０に示す位置に復帰し、電子媒体６は、自動的に保持部９内に保持される。
【００１９】
以上の実施例では、回転体３を円盤状の回転体として図示し説明しているが、図１１に示すように、軸４の外周に軸４から放射方向に伸びる複数のスポーク１５を設けた回転体とすることもできる。当然、スポーク１５の先端には落下防止部材１６を有する保持部１７が設けられる。この保持部１７は、スポーク１５の先端に設けられ、コ状の基部１７аと、この基部１７аからスポーク１５の延長方向に突設された支え部１７ｂとからなり、全体が略Т字形をなしている。この保持部１７のコ状の基部１７ａには、電子媒体６の一端が嵌り込むようになっている。支え部１７ｂと向かい合う位置に、脱落防止部材１６が設けられ、これらの間には、電子媒体６が挿入される空間が形成されている。
【００２０】
脱落防止部材１６は、先端１６ａが折り曲げられ、ここで保持部１７に収容された電子媒体６の一端を係止するようになっており、弾力性を備えた板バネなどで形成されている。
【００２１】
上記構成を備えた落下防止部材１６付き保持部１７は、落下防止部材１６の先端を押し広げ、落下防止部材１６と支え部１７ｂの先端の間を広げると、電子媒体６を保持部１７に自在に着脱できる。
【００２２】
以上の構成の電子媒体収納器具は、図１２に示すように、回転体３の軸心から放射方向に設けられた保持部５に電子媒体６が保持されるから、各保持部５に保持されている隣接する電子媒体６の間に間隙が形成され、指で摘まみ取出し易くなっている。又、間隙から電子媒体６のタイトルを見ることもできる。さらに、図示しないが、保持部５の基端部分を回動軸などで軸支し、保持部５を僅かでも良いから回動自在に回転体３の外周に取付ければ、隣接する電子媒体６の間の間隙を更に広げることができ、一層電子媒体６のタイトルを見易くなる。以上のことは、図７や図１１の保持部９，１７にも当てはまることである。
【００２３】
以上説明した実施例では、保持部５，９，１７を回転体３の軸心から放射方向に設けたものについてのみ説明している。しかしながら、保持部５，９，１７の取付け方向は、図１３に示す保持部５のように、回転体３の軸心から放射方向に延びる線と交叉する方向に設けることも可能である。このような構成により、保持部５に保持されて隣接する電子媒体６間の先端の間隔を更に広げ、電子媒体６のタイトルを更に見易くすると共に取出し易くすることもできる。
【００２４】
上記構成の電子媒体収納器具の各構成、殊に回転体３と保持部５，９，１７と落下防止部材７，１０，１１а，１６の構成は、図示した形状に拘るものではなく、回転体３の外周部に保持部５，９，１７が設けられ、必要に応じ保持部５，９，１７に任意の形状の落下防止部材が設けられていれば、如何なる形状であっても良い。又、脚２をベース１上に垂直に設けて図示しているが、傾斜させた脚であっても良い。
【００２５】
上記構成の電子媒体収納器具は、保持部５，９，１７に保持された隣接する電子媒体６の先端間に間隙があるから、この間隙に指先を挿入し、所望の電子媒体６を容易に取出すことができる。又、この間隙があるゆえ、保持部５，９，１７に保持されている隣接する電子媒体６のタイトルが見易い。更に、電子媒体収納器具の形状が特異であり、観覧車、風車、水車等を連想できる夢があり楽しく嬉しい形状で、室内の置くだけで感動的なディスプレー・装飾物となる。
【００２６】
図１４、図１５に示すように、回転体３を環状の回転体２１とすることもできる。この環状の回転体２１は、内面が円形に形成されており、外周が円形に形成された外周が円形の本体２２の外周に回転自在に取り付けられ、更に、外周が円形の本体２２は、ベース１上に並立（垂直方向でも傾斜方向でも良い）された脚２の上端に取り付けられている。外周が円形の本体２２の両端（表裏）には、鍔状突起２３が設けられ、縦断面がコ状であり、央部に溝２４が形成されている。前記環状の回転体２１は、この溝２４に回転自在に嵌り込んでいる。この鍔状突起２３の下方側の一部を拡大して脚とすることもできる。図示しないが、外周が円形の本体２２の外周近傍に環状の回転体２１を任意の位置で固定する固定部材を設けることが望ましい。
【００２７】
図１６、図１７に示すように、脚２と外周が円形の本体２２とを一体で形成することもでき、脚２の形状は問わない。更に、図１８、図１９に示すように、外周が円形の本体２２を円盤状の本体２５とすることもできる。又、前述の実施例と同様に、脚２をベース１上に傾斜させて設けることもできるし、何れの場合も、ベース１をなくし、脚２を直接平面上に置く構成とすることもできる。
【００２８】
外周が円形の本体２２と円盤状の本体２５の外周に環状の回転体２１を取り付けた電子媒体収納器具であっても前記実施例と同様な効果が得られる。
【００２９】
【発明の効果】
本願発明に係る電子媒体収納器具の１つは、電子媒体或は電子媒体を収納したケーシングを着脱自在に保持する保持部を外周部に設けた回転体を備え、この回転体がベース上に設けられた脚の上端部に回転自在に取付けられている。今１つの電子媒体収納器具は、前記回転体が環状の回転体として形成され、この環状の回転体が外周が円形に形成された環状或は円盤状の本体の外周に回転自在に取り付けられている。上記構成の何れの電子媒体収納器具も、電子媒体収納器具自体の形状からして室内に置くだけで観覧車、風車、水車等のイメージが得られ、夢のある楽しく嬉しい感動的なディスプレー、室内装飾物として用いることができる。
【００３０】
保持部が、回転体の軸心から放射方向或は放射方向と交叉する方向に設けられているので、保持部に隣接して保持される電子媒体或は電子媒体を収納したケーシングの先端間に指先を挿入できる間隙ができるから、所望の電子媒体或は電子媒体を収納したケーシングを容易に取出すことができる。
【００３１】
保持部に弾性体や係止部材で形成した脱落防止部材が設けてあるので、回転体を回転させることにより生じる遠心力により保持部に収納された電子媒体或は電子媒体を収納したケーシングが飛出さない。又、回転して下向きとなった保持部内の電子媒体或は電子媒体を収納したケーシングが脱落することもない。
【図面の簡単な説明】
【図１】本発明に係る電子媒体収納器具を示す斜視図である。
【図２】本発明に係る電子媒体収納器具を示す縦断面図である。
【図３】本発明に係る電子媒体収納器具を示す縦断面図である。
【図４】本発明に係る電子媒体収納器具を示す縦断面図である。
【図５】本発明に係る電子媒体収納器具を示す縦断面図である。
【図６】本発明に係る電子媒体収納器具を示す要部拡大縦断面図である。
【図７】本発明に係る電子媒体収納器具を示す要部拡大縦断面図である。
【図８】本発明に係る電子媒体収納器具を示す要部拡大縦断面図である。
【図９】本発明に係る電子媒体収納器具を示す要部拡大縦断面図である。
【図１０】本発明に係る電子媒体収納器具を示す要部拡大縦断面図である。
【図１１】本発明に係る電子媒体収納器具を示す拡大図付要部拡大斜視図である。
【図１２】本発明に係る電子媒体収納器具の回転体を示す要部拡大縦断面図である。
【図１３】本発明に係る電子媒体収納器具の回転体を示す要部拡大縦断面図である。
【図１４】本発明に係る電子媒体収納器具を示す斜視図である。
【図１５】本発明に係る電子媒体収納器具を示す拡大縦断面図である。
【図１６】本発明に係る電子媒体収納器具を示す斜視図である。
【図１７】本発明に係る電子媒体収納器具を示す拡大縦断面図である。
【図１８】本発明に係る電子媒体収納器具を示す斜視図である。
【図１９】本発明に係る電子媒体収納器具を示す拡大縦断面図である。
【符号の説明】
１　　　　　ベース
２　　　　　脚
３　　　　　回転体
５　　　　　保持部
６　　　　　電子媒体或は電子媒体収納ケーシング
７　　　　　脱落防止部材としての弾性体である板バネ
１１ａ　　　　側壁の先端に設けた落下防止部材としての係止部材
２１　　　　　環状の回転体
２２　　　　　外周が円形の本体
【図１】
2004001781.tif 000003
【図２】
2004001781.tif 000004
【図３】
2004001781.tif 000005
【図４】
2004001781.tif 000006
【図５】
2004001781.tif 000007
【図６】
2004001781.tif 000008
【図７】
2004001781.tif 000009
【図８】
2004001781.tif 000010
【図９】
2004001781.tif 000011
【図１０】
2004001781.tif 000012
【図１１】
2004001781.tif 000013
【図１２】
2004001781.tif 000014
【図１３】
2004001781.tif 000015
【図１４】
2004001781.tif 000016
【図１５】
2004001781.tif 000017
【図１６】
2004001781.tif 000018
【図１７】
2004001781.tif 000019
【図１８】
2004001781.tif 000020
【図１９】
2004001781.tif 000021